(57)【要約】【課題】部品点数の増加を抑制しながら、用紙の幅方向の湾曲（反り）を抑制して用紙の斜め方向への搬送を抑制することが可能で、かつ、用紙の枚数が多い状態でも用紙を押圧する押圧部材が給紙カセットから外れるのを抑制することが可能な給紙カセットを提供する。【解決手段】この給紙カセット１０は、用紙５０の上面の幅方向の中央部を押圧するための第２押圧部６０を備える。この第２押圧部材６０は、蓋部材１３の下面部１３ｂに取り付けられる平坦部６０ａと、平坦部６０ａの下面のうちの端部以外の領域で平坦部６０ａと一体的に接合され、カセット本体１０の内底面１１ｋに向かって斜め方向に延びるとともに、少なくとも平坦部６０ａとの接合部６０ｄが弾性変形可能な傾斜部６０ｂと、傾斜部６０ｂの先端部分に設けられた押圧部６０ｃとを一体的に含み、蓋部材１３をカセット本体１０の上部に配置した際に、押圧部６０ｃがカセット本体１０の内底面１１ｋに当接される。【選択図】図１
2007331890.tif 000002
【特許請求の範囲】
【請求項１】
給紙ローラを含む画像形成装置に装着されるとともに、用紙が収納されるカセット本体と、前記カセット本体の上部に配置された蓋部材と、前記用紙を収納した際に、前記カセット本体の内側の少なくとも一方側面部に設けられ、前記用紙の側面を押圧する第１押圧部材とを備えた給紙カセットにおいて、
前記蓋部材とは別体で設けられるとともに、前記蓋部材の下面に取り付けられ、前記カセット本体に収納された前記用紙の上面の幅方向の中央部近傍を押圧する第２押圧部材とをさらに備え、
前記第２押圧部材は、
前記蓋部材の下面に取り付けられる平坦部と、
前記平坦部の下面のうちの端部以外の領域で前記平坦部と一体的に接合され、前記カセット本体の内底面に向かって斜め方向に延びるとともに、少なくとも前記平坦部との接合部分が弾性変形可能な傾斜部と、
前記傾斜部の先端部分に設けられた押圧部とを一体的に含み、
前記蓋部材を前記カセット本体の上部に配置した際に、前記押圧部が前記カセット本体の内底面に当接され、
前記押圧部は、断面形状が実質的にＬ字形状を有するとともに、前記Ｌ字形状の角部で前記用紙を線上に押圧するように構成され
前記第２押圧部材の前記平坦部は、接着層によって前記蓋部材の下面に取り付けられ、
前記傾斜部は、前記平坦部の実質的に中央部に接合される、給紙カセット。
【請求項２】
給紙ローラを含む画像形成装置に装着されるとともに、用紙が収納されるカセット本体と、
前記用紙を収納した際に、前記カセット本体の内側の少なくとも一方側面部に設けられ、前記用紙の側面を押圧する第１押圧部材と、
前記カセット本体の上部に配置された蓋部材と、
前記蓋部材とは別体で設けられるとともに、前記蓋部材の下面に取り付けられ、前記カセット本体に収納された前記用紙の上面の幅方向の中央部近傍を押圧する第２押圧部材とを備え、
前記第２押圧部材は、
前記蓋部材の下面に取り付けられる平坦部と、
前記平坦部の下面のうちの端部以外の領域で前記平坦部と一体的に接合され、前記カセット本体の内底面に向かって斜め方向に延びるとともに、少なくとも前記平坦部との接合部分が弾性変形可能な傾斜部と、
前記傾斜部の先端部分に設けられた押圧部とを一体的に含み、
前記蓋部材を前記カセット本体の上部に配置した際に、前記押圧部が前記カセット本体の内底面に当接される、給紙カセット。
【請求項３】
前記押圧部は、断面形状が実質的にＬ字形状を有するとともに、前記Ｌ字形状の角部で前記用紙を線状に押圧するように構成されている、請求項２に記載の給紙カセット。
【請求項４】
前記第２押圧部材の前記平坦部は、接着層によって前記蓋部材の下面に取り付けられる、請求項２または３に記載の給紙カセット。
【請求項５】
前記傾斜部は、前記平坦部の実質的に中央部に接合されている、請求項２〜４のいずれか１項に記載の給紙カセット。
【請求項６】
前記第２押圧部材の前記平坦部は、前記傾斜部との接合線を境界線として左右にそれぞれ、第１平坦部と第２平坦部とを含み、
前記第２平坦部は、前記第１平坦部と前記傾斜部との接合部の所定領域に、Ｕ字状の切り込み部を設け、前記第１平坦部の前記Ｕ字状の切り込み部の内側の領域を、前記接合部の接合線に沿って折り返すことにより形成されている、請求項２〜４のいずれか１項に記載の給紙カセット。
【請求項７】
前記第２押圧部材は、前記第１平坦部の端部で前記第１平坦部と一体的に連結され、前記傾斜部に向かって斜め方向に延びるとともに、前記傾斜部を支持するための支持部を含む、請求項６に記載の給紙カセット。
【発明の詳細な説明】
【技術分野】
【０００１】
この発明は、給紙カセットに関し、特に、画像形成装置に装着される給紙カセットに関する。
【背景技術】
【０００２】
従来、画像形成装置に装着される給紙カセットなどが知られている（たとえば、特許文献１〜４参照）。
【０００３】
上記特許文献１には、用紙トレイに収納された用紙の給紙方向と平行な用紙の側面部を押圧して用紙を用紙トレイの片側に寄せる幅寄せ部材（板バネ）と、用紙トレイの上面を覆う回動可能な蓋体とを備え、この蓋体の内側に、用紙の上面の幅方向の両端部近傍を押圧する押圧部材（板バネ）が接合されていると考えられる給紙カセットが開示されている。また、この特許文献１に開示された給紙カセットでは、蓋体の内側に用紙の上面を押圧する押圧部材（板バネ）が、蓋体に取り付けられる平坦部と、蓋体を閉じたときに用紙の上面を押圧する押圧部と、平坦部と押圧部とをつなぐ１つの傾斜部とから構成されている。なお、傾斜部と平坦部との接合部は、平坦部の一方端部に設けられている。
【０００４】
また、上記特許文献２には、用紙を収納する用紙トレイの端部に用紙の給紙方向とは垂直の方向に設けられた壁部（カール強制部）と、用紙の上面を覆う用紙トレイの幅方向の中央部に切り起こされて、用紙の上面を押圧する押圧部材（板バネ）とを備えた給紙カセットが開示されている。そして、この給紙カセットでは、壁部（カール強制部）が用紙の端部を下方向に押圧することによって、用紙を適切にカール（巻き癖）させて給紙ローラに送り込ませる一方、極度なカール状態を回避するために、適度に用紙の上面を下方向に押さえる押圧部材（板バネ）が設けられた構成となっている。なお、用紙トレイに収納された用紙を装置本体側の給紙ローラに付勢するための押圧板とバネ部材（コイルバネ）とが装置本体側に設けられ、給紙カセットが装置本体に装着された際に、装置本体側の押圧板とバネ部材（コイルバネ）とが、用紙トレイ側の壁部（カール強制部）および押圧部材（板バネ）の両方を押圧するように構成されている。
【０００５】
また、上記特許文献３には、用紙トレイの内側面に、収納された用紙の側面部を押圧して用紙を用紙トレイの片側に寄せる第１押圧部材（板バネ）と、用紙トレイの左右の内側面に一体的に形成されて、用紙の上面を押圧する第２押圧部材（板バネ）とを備えた給紙カセットが開示されている。また、この給紙カセットでは、用紙トレイが装置本体に装着された場合に、収納された用紙を装置本体側の給紙ローラに付勢するための押し上げ板部が上方に回動して、用紙上面の第２押圧部材（板バネ）に用紙が当接するように構成されている。
【０００６】
また、上記特許文献４には、用紙トレイと、用紙トレイの上面を覆う回動可能な蓋体と、この蓋体の内側に用紙の上面の幅方向の中央部と微小面積で接しながら用紙の搬送とともに回転するローラとを備えた給紙カセットが開示されている。また、この給紙カセットでは、用紙トレイに収納された用紙を蓋体に取り付けられたローラに圧接するための押し上げ板部とバネ部材（コイルバネ）とが、用紙トレイの底部に設けられている。
【０００７】
【特許文献１】特開２００２−３３２１２２号公報
【特許文献２】特開２００３−２７６８６３号公報
【特許文献３】特開２００４−８３１７５号公報
【特許文献４】特開平５−２２９６７６号公報
【発明の開示】
【発明が解決しようとする課題】
【０００８】
しかしながら、上記特許文献１に記載の給紙カセットでは、用紙の幅方向の端部近傍の上面を押圧する押圧部材（板バネ）が、用紙トレイの左右の内側面に一体的に形成されているため、用紙の幅方向の中央部は押圧されない状態になり、そのため、用紙の幅方向の中央部で湾曲（反り）が発生しやすいという不都合がある。このため、用紙の幅方向の反りをなくそうとするものではないので、用紙の幅方向の反りに起因して用紙が搬送方向に対して斜め方向に搬送されやすいという問題点がある。また、特許文献１では、用紙トレイに収納された用紙の枚数が多い状態で蓋体を閉じた場合、押圧部材（板バネ）は用紙に当接することによって用紙から上方向の荷重を受け、傾斜部がより倒れる方向に曲げられて、形状に変形を起こす。この場合に、押圧部材が接着層により蓋体の内側に接着されている場合には、押圧部材（板バネ）の平坦部の端部と傾斜部との接合部を中心軸として、押圧部材（板バネ）の平坦部と傾斜部との接合部に曲げモーメントが発生するとともに、平坦部は常に蓋体の内側から剥がれようとする方向（下方向）に付勢された状態となる。したがって、用紙の枚数が多い状態で、押圧部材が用紙を押圧した場合には、時間の経過と共に平坦部が蓋体下面から剥がれて外れてしまうという問題点がある。
【０００９】
また、上記特許文献２に記載の給紙カセットでは、用紙の上面を押圧する押圧部材（板バネ）は、用紙の幅方向の過剰なカール（反り）を抑制するものであり、用紙の幅方向の反りをなくそうとするものではないので、用紙の幅方向の反りに起因して用紙が搬送方向に対して斜め方向に搬送されやすいという問題点がある。
【００１０】
また、上記特許文献３に記載の給紙カセットでは、用紙の幅方向の端部近傍の上面を押圧する第２押圧部材（板バネ）が、用紙トレイの左右の内側面に一体的に形成されているため、用紙の幅方向の中央部で湾曲（反り）が発生しやすいという不都合がある。このため、用紙の幅方向の反りに起因して用紙が搬送方向に対して斜め方向に搬送されやすいという問題点がある。
【００１１】
また、上記特許文献４に記載の給紙カセットでは、用紙トレイに収納された用紙を蓋体に取り付けられたローラに圧接するための押し上げ板部とバネ部材（コイルバネ）とがローラとは別に必要であるため、部品点数が増加するという問題点がある。
【００１２】
この発明は、上記のような課題を解決するためになされたものであり、この発明の１つの目的は、部品点数の増加を抑制しながら、用紙の幅方向の湾曲（反り）を抑制して用紙の斜め方向への搬送を抑制することが可能で、かつ、用紙の枚数が多い状態でも用紙を押圧する押圧部材が給紙カセットから外れるのを抑制することが可能な給紙カセットを提供することである。
【課題を解決するための手段および発明の効果】
【００１３】
この発明の第１の局面による給紙カセットは、給紙ローラを含む画像形成装置に装着されるとともに、用紙が収納されるカセット本体と、カセット本体の上部に配置された蓋部材と、用紙を収納した際に、カセット本体の内側の少なくとも一方側面部に設けられ、用紙側面を押圧する第１押圧部材とを備えた給紙カセットにおいて、蓋部材とは別体で設けられるとともに、蓋部材の下面に取り付けられ、カセット本体に収納された用紙の上面の幅方向の中央部近傍を押圧する第２押圧部材とをさらに備え、第２押圧部材は、蓋部材の下面に取り付けられる平坦部と、平坦部の下面のうちの端部以外の領域で平坦部と一体的に接合され、カセット本体の内底面に向かって斜め方向に延びるとともに、少なくとも平坦部との接合部分が弾性変形可能な傾斜部と、傾斜部の先端部分に設けられた押圧部とを一体的に含み、蓋部材をカセット本体の上部に配置した際に、押圧部がカセット本体の内底面に当接され、押圧部は、断面形状が実質的にＬ字形状を有するとともに、Ｌ字形状の角部で用紙を線上に押圧するように構成され、第２押圧部材の平坦部は、接着層によって蓋部材の下面に取り付けられ、傾斜部は、平坦部の実質的に中央部に接合される。
【００１４】
この第１の局面による給紙カセットでは、上記のように、第２押圧部材を、蓋部材の下面に取り付けられる平坦部の下面のうちの端部以外の領域で平坦部と一体的に接合され、カセット本体の内底面に向かって斜め方向に延びるとともに、少なくとも平坦部との接合部分が弾性変形可能な傾斜部を一体的に含むように構成することによって、用紙の枚数が多い状態で、第２押圧部材が用紙を押圧した際に、用紙からの反力により第２押圧部材の傾斜部と平坦部との接合部を中心軸として曲げモーメントが発生する場合に、傾斜部と平坦部とのなす角度がとなる平坦部の領域は、上記曲げモーメントを打ち消す方向の反力を発生させることができる。これにより、用紙の枚数が多い状態でも、平坦部が蓋部材の下面から剥がれて外れてしまうことを抑制することができる。また、第２押圧部材を、カセット本体に収納された用紙の上面の幅方向の中央部近傍を押圧するように構成することによって、第２押圧部材は、用紙の上面の幅方向の中央部を押圧することができるため、用紙の幅方向の湾曲（反り）を有効に抑制することができる。これにより、用紙の幅方向の反りに起因する用紙の斜め方向への搬送を抑制することできる。また、第２押圧部材を、蓋部材の下面に取り付けられる平坦部と、平坦部の下面のうちの端部以外の領域で平坦部と一体的に接合される傾斜部と、傾斜部の先端部分に設けられた押圧部とを一体的に含むように構成するとともに、蓋部材をカセット本体の上部に配置した際に、押圧部がカセット本体の内底面に当接されるように構成することによって、用紙の下方に用紙の上面を押圧部に当接させるための押し上げ機構を設ける必要がないので部品点数の増加を抑制することができる。
【００１５】
また、第１の局面による給紙カセットでは、押圧部を、断面形状が実質的にＬ字形状を有するとともに、Ｌ字形状の角部で用紙を線状に押圧するように構成することによって、用紙と押圧部との接触面積を小さくすることができるので、用紙と押圧部との摩擦抵抗を小さくすることができる。このため、給紙時の用紙と押圧部との摩擦抵抗に起因する搬送不良の発生が抑制されるので、スムーズな給紙を行うことができる。また、第２押圧部材の平坦部を、接着層によって蓋部材の下面に取り付けることによって、容易に第２押圧部材を蓋部材に取り付けることができる。また、傾斜部を、平坦部の実質的に中央部に接合することによって、第２押圧部材による用紙の押圧時の曲げモーメントを打ち消す方向の反力を発生させる領域の面積を大きくすることができるので、平坦部が蓋部材の下面から剥がれて外れてしまうことをより確実に抑制することができる。
【００１６】
この発明の第２の局面による給紙カセットは、給紙ローラを含む画像形成装置に装着されるとともに、用紙が収納されるカセット本体と、カセット本体の上部に配置された蓋部材と、用紙を収納した際に、カセット本体の内側の少なくとも一方側面部に設けられ、用紙側面を押圧する第１押圧部材とを備えた給紙カセットにおいて、蓋部材とは別体で設けられるとともに、蓋部材の下面に取り付けられ、カセット本体に収納された用紙の上面の幅方向の中央部近傍を押圧する第２押圧部材とをさらに備え、第２押圧部材は、蓋部材の下面に取り付けられる平坦部と、平坦部の下面のうちの端部以外の領域で平坦部と一体的に接合され、カセット本体の内底面に向かって斜め方向に延びるとともに、少なくとも平坦部との接合部分が弾性変形可能な傾斜部と、傾斜部の先端部分に設けられた押圧部とを一体的に含み、蓋部材をカセット本体の上部に配置した際に、押圧部がカセット本体の内底面に当接される。
【００１７】
この第２の局面による給紙カセットでは、上記のように、第２押圧部材を、蓋部材の下面に取り付けられる平坦部の下面のうちの端部以外の領域で平坦部と一体的に接合され、カセット本体の内底面に向かって斜め方向に延びるとともに、少なくとも平坦部との接合部分が弾性変形可能な傾斜部を一体的に含むように構成することによって、用紙の枚数が多い状態で、第２押圧部材が用紙を押圧した際に、用紙からの反力により第２押圧部材の傾斜部と平坦部との接合部を中心軸として曲げモーメントが発生する場合に、傾斜部と平坦部とのなす角度が鋭角になる平坦部の領域は、上記曲げモーメントを打ち消す方向の反力を発生させることができる。これにより、用紙の枚数が多い状態でも、平坦部が蓋部材の下面から剥がれて外れてしまうことを抑制することができる。また、第２押圧部材を、カセット本体に収納された用紙の上面の幅方向の中央部近傍を押圧するように構成することによって、第２押圧部材は、用紙の上面の幅方向の中央部を押圧することができるため、用紙の幅方向の湾曲（反り）を有効に抑制することができる。これにより、用紙の幅方向の反りに起因する用紙の斜め方向への搬送を抑制することできる。また、第２押圧部材を、蓋部材の下面に取り付けられる平坦部と、平坦部の下面のうちの端部以外の領域で平坦部と一体的に接合される傾斜部と、傾斜部の先端部分に設けられた押圧部とを一体的に含むように構成するとともに、蓋部材をカセット本体の上部に配置した際に、押圧部がカセット本体の内底面に当接されるように構成することによって、用紙の下方に用紙の上面を押圧部に当接させるための押し上げ機構を設ける必要がないので、部品点数の増加を抑制することができる。
【００１８】
上記第２の局面による給紙カセットにおいて、好ましくは、押圧部は、断面形状が実質的にＬ字形状を有するとともに、Ｌ字形状の角部で用紙を線状に押圧するように構成される。このように構成すれば、用紙と押圧部との接触面積を小さくすることができるので、用紙と押圧部との摩擦抵抗を小さくすることができる。このため、給紙時の用紙と押圧部との摩擦抵抗に起因する搬送不良の発生が抑制されるので、スムーズな給紙を行うことができる。
【００１９】
この場合、好ましくは、第２押圧部材の平坦部は、接着層によって蓋部材の下面に取り付けられる。このように構成すれば、容易に第２押圧部材を蓋部材に取り付けることができる。
【００２０】
上記第２の局面による給紙カセットにおいて、好ましくは、傾斜部は、平坦部の実質的に中央部に接合されている。このように構成すれば、第２押圧部材による用紙の押圧時の曲げモーメントを打ち消す方向の反力を発生させる領域の面積を大きくすることができるので、平坦部が蓋部材の下面から剥がれて外れてしまうことをより確実に抑制することができる。
【００２１】
上記第２の局面による給紙カセットにおいて、好ましくは、第２押圧部材の平坦部は、傾斜部との接合線を境界線として左右にそれぞれ、第１平坦部と第２平坦部とを含み、第２平坦部は、第１平坦部と傾斜部との接合部の所定領域に、Ｕ字状の切り込み部を設け、第１平坦部のＵ字状の切り込み部の内側の領域を、接合部の接合線に沿って折り返すことにより形成されている。このように構成すれば、容易に、平坦部の下面のうちの端部以外の領域に傾斜部が一体的に接合された構造を得ることができる。
【００２２】
この場合、好ましくは、第２押圧部材は、第１平坦部の端部で第１平坦部と一体的に連結され、傾斜部に向かって斜め方向に延びるとともに、傾斜部を支持するための支持部を含む。このように構成すれば、第２押圧部材の傾斜部が、支持部によって支持されるため、傾斜部の剛性が向上される。このため、特に用紙の枚数が多い状態で、第２押圧部材が用紙を押圧した場合の、傾斜部と第１平坦部との接合部における傾斜部の変位（変形量）をより小さくすることができるので、傾斜部の基本形状を容易に保持することができる。
【発明を実施するための最良の形態】
【００２３】
以下、本発明を具体化した実施形態を図面に基づいて説明する。
【００２４】
（第１実施形態）
図１および図２は、本発明の第１実施形態による給紙カセットおよび給紙カセットが装着される昇華型プリンタの全体構成を示した斜視図である。図３〜図５は、本発明の第１実施形態による給紙カセットおよび昇華型プリンタの構造を示した図である。図６〜図１０は、本発明の第１実施形態による給紙カセットの構造の詳細を示した図である。まず、図１〜図１０を参照して、本発明の第１実施形態による給紙カセットの構造について説明する。なお、本実施形態では、画像形成装置の一例である昇華型プリンタの給紙カセットに本発明を適用した場合について説明する。
【００２５】
本発明の第１実施形態による給紙カセット１０は、図２に示すように、昇華型プリンタ２０に脱着可能に装着することが可能なように構成されている。
【００２６】
給紙カセット１０は、図１および図２に示すように、樹脂製のカセット本体１１と、樹脂製の持ち上げ部材１２と、樹脂製の蓋部材１３とを備えている。また、樹脂製の蓋部材１３は、図２に示すように、用紙５０に埃などが付着するのを抑制するために設けられているとともに、カセット本体１１に対してスライド可能に取り付けられる。また、図３〜図７に示すように、カセット本体１１は、持ち上げ部材１２が回動可能に係合する一対の係合部１１ａ（図５参照）と、後述する一対の用紙分離壁２２ｂを逃がすための一対の切欠部１１ｂと、後述する押上げ部材２５を逃がすための切欠部１１ｃと、給紙カセット１０の装着時に昇華型プリンタ２０と係合する弾性変形可能な一対の取付部１１ｄと、用紙５０（図２参照）のＢ方向（図３参照）の位置を揃えるための３つの凸部１１ｅと、凸部１１ｅに用紙５０（図２参照）を付勢するための第１押圧部材１１ｆと、蓋部材１３をカセット本体１１に対してスライド可能にガイドするガイド部１１ｇと、用紙５０（図２参照）を支持するための給紙方向（図３の矢印Ａ方向）に延びる３つのリブ１１ｈとを有する。
【００２７】
また、図６に示すように、一対の取付部１１ｄは、給紙カセット１０のカセット本体１１の外側側面から突出する外側突出部分を有するように給紙カセット１０のカセット本体１１に一体的に設けられている。この取付部１１ｄは、給紙カセット１０を昇華型プリンタ２０に装着する際に後述する昇華型プリンタ２０の取付部装着部２２ｃと係合することにより、給紙カセット１０を昇華型プリンタ２０に対して固定する機能を有する。また、３つのリブ１１ｈは、給紙時に用紙５０（図２参照）が搬送される際のガイドとしての機能を有し、カセット本体１１の後端からカセット本体１１の一対の係合部１１ａの近傍まで伸びるように形成されている。
【００２８】
また、第１実施形態では、図１および図３〜図７に示すように、カセット本体１１の底部には、それぞれ、持ち上げ部材１２の係合部１２ａが挿入される挿入穴１１ｉと、挿入穴１１ｉに隣接するようにカセット本体１１に一体的に設けられた板バネ部１１ｊとを有する。持ち上げ部材１２は、板バネ部１１ｊの撓みを利用することにより挿入穴１１ｉを介してカセット本体１１の係合部１１ａと係合するように構成されている。また、持ち上げ部材１２は、図１および図３〜図７に示すように、カセット本体１１の一対の係合部１１ａに係合する一対の係合部１２ａと、給紙カセット１０を昇華型プリンタ２０に装着した時に一対の用紙分離壁２２ｂを逃がすための一対の切欠部１２ｂとを有する。
【００２９】
また、図１および図７に示すように、蓋部材１３は、カセット本体１１に装着するときにカセット本体１１の取付部１１ｄと係合する取付部係合部１３ａを有する。給紙カセット１０が昇華型プリンタ２０に装着されていないときには、蓋部材１３の取付部係合部１３ａは、カセット本体１１の取付部１１ｄと係合している。一方、図４に示すように、給紙カセット１０が昇華型プリンタ２０に装着する際には、ユーザーは、蓋部材１３の取付部係合部１３ａをカセット本体１１の取付部１１ｄから外す。そして、蓋部材１３を、カセット本体１１のガイド部１１ｇに沿ってカセット本体１１に対して給紙方向（Ａ方向）と反対方向にスライドさせた状態で給紙カセット１０を昇華型プリンタ２０に装着する。これにより、給紙カセット１０は、蓋部材１３が給紙動作に影響を及ぼすことがないように構成されている。
【００３０】
ここで、第１実施形態では、図７に示すように、蓋部材１３の下面部１３ｂに用紙５０の上面を押圧する樹脂製の第２押圧部材６０が蓋材部１３とは別体で設けられている。この第２押圧部材６０は、図８に示すように、平坦部６０ａと、弾性変形可能な傾斜部６０ｂと、押圧部６０ｃとを一体的に含む。傾斜部６０ｂは、平坦部６０ａの下面の実質的に中央部において平坦部６０ａと一体的に接合され、カセット本体１０（図７参照）の内底面１１ｋ（図７参照）に向かって斜め方向に延びるとともに、押圧部６０ｃは、傾斜部６０ｂの先端部分に設けられている。なお、平坦部６０ａは、接合部６０ｄを境界として、傾斜部６０ｂと平坦部６０ａとのなす角度が鈍角になる一方領域６０ｅと、傾斜部６０ｂと平坦部６０ａとのなす角度が鋭角になる他方領域６０ｆとを含むように構成されている。また、接合部６０ｄは、他の部分よりも厚みが大きい肉厚構造を有する。これにより、傾斜部６０ｂの倒れを低減可能である。また、図９に示すように、蓋部材１３をカセット本体１１に取り付けた際は、第２押圧部材６０の押圧部６０ｃがカセット本体１１の内底面１１ｋのリブ１１ｈに近接されるように構成されている。
【００３１】
また、第１実施形態では、図９に示すように、第２押圧部材６０の押圧部６０ｃは、断面形状がＬ字形状を有する。この第２押圧部材６０は、蓋部材１３の下面部１３ｂに、粘着テープ１４（両面テープ）によって取り付けられている。なお、粘着テープ１４は、本発明の「接着層」の一例である。さらに、図１０に示すように、第２押圧部材６０の押圧部６０ｃは、カセット本体１１の用紙５０（図２参照）の幅方向の中央部で、かつ、カセット本体１１の第１押圧部材１１ｆが用紙５０（図２参照）を側面から押圧する作用線１００上（一点鎖線）に設けられている。
【００３２】
また、昇華型プリンタ２０は、図３および図４に示すように、金属製のシャーシ２１と、給紙カセット装着部２２と、用紙５０（図２参照）を昇華型プリンタ２０の内部へ搬送するためのゴム製の給紙ローラ２３と、給紙ローラギア２４と、用紙５０（図２参照）が積層された持ち上げ部材１２を上方に押し上げて、用紙５０（図２参照）を給紙ローラ２３に押圧させる押上げ部材２５と、給紙カセット１０が昇華型プリンタ２０に装着されたことを検知するセンサ部２６と、給紙ローラ２３などを駆動するためのステッピングモータ２７と、用紙５０（図２参照）に画像を印字するための印字ヘッド２８と、印字ヘッド２８を押圧する図示しない印字ヘッド押圧部材および押上げ部材２５を駆動するためのステッピングモータ２９と、ステッピングモータ２７およびステッピングモータ２９を取り付けるためのモータブラケット３０と、インクシート（図示せず）を巻き取るための巻取リール３１と、揺動可能な揺動ギア３２と、給紙ローラギア２４にステッピングモータ２７の駆動力を伝えるための複数の中間ギア３３と、ゴム製の排紙ローラ３４と、排紙ローラギア３５とを有する。
【００３３】
また、昇華型プリンタ２０は、図３および図４に示すように、インクシート（図示せず）が内蔵されたインクシートカートリッジ９０が着脱可能に装着される。
【００３４】
また、シャーシ２１は、図３および図４に示すように、モータブラケット３０が取り付けられる一方側面２１ａと、他方側面２１ｂと、一方側面２１ａと他方側面２１ｂとを連結する底面２１ｃとを有する。また、シャーシ２１の他方側面２１ｂには、インクシート（図示せず）が内蔵されたインクシートカートリッジ９０を取り付けるためのインクシートカートリッジ挿入孔２１ｄが設けられている。
【００３５】
また、図３に示すように、給紙カセット装着部２２は、給紙カセット１０を昇華型プリンタ２０に装着するときの一対のガイド部２２ａと、用紙５０（図２参照）の二重送りを防止するための一対の用紙分離壁２２ｂと、給紙カセット１０を昇華型プリンタ２０に装着したときにカセット本体１１の一対の取付部１１ｄと係合する一対の取付部装着部２２ｃとを有する。また、図２に示すように、給紙カセット１０を昇華型プリンタ２０に装着した時には、図４に示すように、カセット本体１１の一対の切欠部１１ｂおよび持ち上げ部材１２の一対の切欠部１２ｂには、一対の用紙分離壁２２ｂが位置する。また、図４および図５に示すように、給紙カセット１０を昇華型プリンタ２０に装着した時には、持ち上げ部材１２の上方には、給紙ローラ２３が位置し、持ち上げ部材１２の下方には、押上げ部材２５が位置する。また、給紙ローラ２３は、回転することにより、押上げ部材２５によって押し上げられた用紙５０（図２参照）を昇華型プリンタ２０の内部に搬送する機能を有する。また、給紙ローラ２３の一方端には、給紙ローラギア２４が取り付けられており、給紙ローラギア２４の回転に伴い給紙ローラ２３も回転するように構成されている。
【００３６】
また、図３に示すように、センサ部２６は、給紙カセット装着部２２の一方端近傍に配置されている。また、センサ部２６は、突起部２６ａを有する。給紙カセット１０が昇華型プリンタ２０の給紙カセット装着部２２に装着されると、図４に示すように、突起部２６ａが給紙カセット１０によって押し込まれることによって、センサ部２６により給紙カセット１０が装着されたことが検出される。また、筐体３６は、図２に示すように、蓋部材３６ａおよび３６ｂと、押しボタンスイッチ３６ｃとを含んでいる。また、筐体３６の蓋部材３６ａは、給紙カセット１０を昇華型プリンタ２０に装着するために設けられている。また、筐体３６の蓋部材３６ｂは、インクシートカートリッジ９０を昇華型プリンタに装着するために設けられている。また、筐体３６の押しボタンスイッチ３６ｃは、ユーザが印刷を開始する際の操作ボタンとして設けられている。
【００３７】
図１１は、図１に示した本発明の第１実施形態による給紙カセットの第２押圧部材の用紙に対する押圧状態を説明するための図である。次に、図９および図１１を参照して、第１実施形態による給紙カセット１０の第２押圧部材６０の用紙５０に対する押圧状態を説明する。
【００３８】
まず、図９に示すように、用紙５０が少ない場合、カセット本体１１（図６参照）の第１押圧部材１１ｆ（図６参照）が用紙５０の側面部を押圧するとともに、第２押圧部材６０の押圧部６０ｃが用紙５０の上面を所定の押圧力で押圧する。また、図１１に示すように、用紙５０が多い場合、第２押圧部材６０は、傾斜部６０ｂおよび接合部６０ｂを弾性変形させながら、押圧部６０ｃが用紙５０の上面を所定の押圧力で押圧する。
【００３９】
ここで、第１実施形態では、図１１に示すように、用紙５０が多い状態において第２押圧部材６０が用紙５０を押圧した際に、用紙５０からの反力により、第２押圧部材６０の傾斜部６０ｂと平坦部６０ａとの接合部６０ｄを中心軸として曲げモーメントＭが発生する場合に、傾斜部６０ｂと平坦部６０ａとのなす角度が鋭角になる側の平坦部６０ａの他方領域６０ｆは、上記曲げモーメントＭを打ち消す方向の反力Ｆを発生させることができる。したがって、傾斜部６０ｂと平坦部６０ａとの接合部６０ｄ近傍での傾斜部６０ｂの形状は変形の度合いが小さくなる一方、傾斜部６０ｂのうちで、接合部６０ｄから遠く、押圧部６０ｃに近い領域では、傾斜部６０ｂの形状を変化させながら（下方向に湾曲して）、用紙５０を押圧する。
【００４０】
図１２は、本発明の第１実施形態による給紙カセットおよび昇華型プリンタの断面図である。次に、図３〜図５および図１２を参照して、本発明の第１実施形態による給紙カセットおよび昇華型プリンタの給紙動作を説明する。
【００４１】
まず、図３に示した状態から、図４に示すように、給紙カセット１０を昇華型プリンタ２０に装着する。なお、給紙カセット１０には、図５に示すように、持ち上げ部材１２の上面に用紙５０が積層されている。給紙カセット１０が昇華型プリンタ２０に装着された場合には、図５に示すように、用紙５０が積層された持ち上げ部材１２の上方に給紙ローラ２３が位置する。また、持ち上げ部材１２の下方（カセット本体１１の切欠部１１ｃに対応する位置）には、押上げ部材２５が位置する。この状態で、ステッピングモータ２９(図４参照)が駆動する。ステッピングモータ２９の駆動力は、図示しない駆動力伝達機構を介して、押上げ部材２５を、図１２に示すように、Ｅ方向（上方）へ回動する。押上げ部材２５は、給紙カセット１０の装着時には、持ち上げ部材１２の下方に位置するので、押上げ部材２５がＥ方向（上方）へ回動することにより、持ち上げ部材１２も、係合部１２ａを中心に図１３に示すＦ方向に回動する。これによって、持ち上げ部材１２に積層された用紙５０が給紙ローラ２３に当接するまで上方に押し上げられる。
【００４２】
また、このとき、ステッピングモータ２７（図４参照）も駆動しており、ステッピングモータ２７の駆動力は、複数の中間ギア３３を介して給紙ローラギア２４を図４のＧ方向に回転させる。これによって、給紙ローラ２３は図１２に示すＧ方向に回転される。
【００４３】
上記押し上げられた用紙５０は、図１２に示すように、Ｇ方向に回転している給紙ローラ２３に押圧される。そして、給紙ローラ２３と用紙５０との摩擦力により、用紙５０は、昇華型プリンタ２０の内部へ搬送される。
【００４４】
ここで、第１実施形態では、用紙５０が昇華型プリンタ２０の内部へ搬送（給紙）されている際も、第２押圧部材６０（図１参照）は用紙５０の上面を常に押圧しているため、用紙５０の幅方向の湾曲（反り）も発生せず、給紙動作は問題なく行われる。
【００４５】
第１実施形態では、上記のように、第２押圧部材６０を、蓋部材１３の下面部１３ｂに取り付けられる平坦部６０ａの下面のうちの端部以外の領域で平坦部６０ａと一体的に接合され、カセット本体１１の内底面１１ｋに向かって斜め方向に延びるとともに、少なくとも平坦部６０ａとの接合部６０ｄが弾性変形可能な傾斜部６０ｂを一体的に含むように構成することによって、用紙５０の枚数が多い状態で、第２押圧部材６０が用紙５０を押圧した際に、用紙５０からの反力により第２押圧部材６０の傾斜部６０ｂと平坦部６０ａとの接合部６０ｄを中心軸として曲げモーメントＭが発生する場合に、傾斜部６０ｂと平坦部６０ａとがなす角度が鋭角にとなる平坦部の他方領域６０ｆは、上記曲げモーメントＭを打ち消す方向の反力Ｆを発生させることができる。これにより、用紙５０の枚数が多い状態でも、平坦部６０ａが蓋部材１３の下面部１３ｂから剥がれて外れてしまうことを抑制することができる。また、第２押圧部材を、カセット本体に収納された用紙の上面の幅方向の中央部近傍を押圧するように構成することによって、第２押圧部材は、用紙の上面の幅方向の中央部を押圧することができるため、用紙の幅方向の湾曲（反り）を有効に抑制することができる。これにより、用紙の幅方向の反りに起因する用紙の斜め方向への搬送を抑制することできる。また、第２押圧部材６０を、蓋部材１３の下面部１３ｂに取り付けられる平坦部６０ａと、平坦部６０ａの下面のうちの端部以外の領域で平坦部６０ａと一体的に接合される傾斜部６０ｂと、傾斜部６０ｂの先端部分に設けられた押圧部６０ｃとを一体的に含むように構成するとともに、蓋部材１３をカセット本体１１の上部に配置した際に、押圧部６０ｃがカセット本体１１の内底面１１ｋに当接されるように構成することによって、用紙５０の下方に用紙５０の上面を押圧部６０ｃに当接させるための押し上げ機構を設ける必要がないので部品点数の増加を抑制することができる。
【００４６】
また、第１実施形態では、押圧部６０ｃを、断面形状が実質的にＬ字形状を有するとともに、Ｌ字形状の角部で用紙を線上に押圧するように構成することによって、用紙５０と押圧部６０ｃとの接触面積を小さくすることができるので、用紙５０と押圧部６０ｃとの摩擦抵抗を小さくすることができる。このため、給紙時の用紙５０と押圧部６０ｃとの摩擦抵抗に起因する搬送不良の発生が抑制されるので、スムーズな給紙を行うことができる。
【００４７】
また、第１実施形態では、第２押圧部材６０の平坦部６０ａを、粘着テープ１４（両面テープ）によって蓋部材１３の下面部１３ｂに取り付けることによって、容易に第２押圧部材６０を蓋部材１３に取り付けることができる。
【００４８】
また、第１実施形態では、傾斜部６０ｂを、平坦部６０ａの実質的に中央部に接合することによって、第２押圧部材６０による用紙５０の押圧時の曲げモーメントＭを打ち消す方向の反力Ｆを発生させる領域の面積を大きくすることができるので、平坦部６０ａが蓋部材１３の下面部１３ｂから剥がれて外れてしまうことをより確実に抑制することができる。
【００４９】
図１３〜図１５は、本発明の第１実施形態の変形例を説明するための図である。この第１実施形態の変形例では、図１３〜図１５に示すように、蓋部材１３の下面部１３ｂに第２押圧部材６０を取り付ける構造を設けている。この第１実施形態の変形例による給紙カセット１０は、図１３に示すように、蓋部材１３の下面部１３ｂから突出するように、第１係合部１３ｃおよび第２係合部１３ｄを設ける。なお、第１係合部１３ｃおよび第２係合部１３ｄは、図１４に示すように、連結部１３ｅによって連結されている。さらに、第１係合部１３ｃおよび第２係合部１３ｄの近傍に、リブ１３ｆを設けている。また、この第１実施形態の変形例では、図１４に示すように、第２押圧部材６０の平坦部６０ａをリブ１３ｆに当接させながら、矢印Ｃの方向にスライドさせることによって、第１係合部１３ｃと蓋部材１３の下面部１３ｂとの隙間、および、第２係合部１３ｄと蓋部材１３の下面部１３ｂとの隙間に、それぞれ、第２押圧部材６０の平坦部６０ａの一方領域６０ｅおよび他方領域６０ｆが嵌め込まれることによって、第２押圧部材６０は、蓋部材１３の下面部１３ｂに取り付けられる。このとき、第２押圧部材６０の平坦部６０ａの一方領域６０ｅは、蓋部材１３の第１係合部１３ｃの内面部１３ｇと当接される。また、第２押圧部材６０の平坦部６０ａの領域６０ｆは、蓋部材１３の第２係合部１３ｄの下面部１３ｈに当接される。また、第２押圧部材６０の平坦部６０ａの上面は、蓋部材１３の下面部１３ｂに当接される。これにより、第２押圧部材６０の平坦部６０ａは、蓋部材１３の下面部１３ｂに固定される。なお、リブ１３ｆは、第２押圧部材６０が蓋部材１３から抜ける方向（Ｃ方向と逆方向）にスライドした場合の抜け防止の機能を有する。この第１実施形態の変形例では、上記のように、蓋部材１３の下面部１３ｂに第２押圧部材６０を取り付ける構造を設けることによって、粘着テープ１４が不要になる。なお、この変形例のその他の効果は、第１実施形態と同様である。
【００５０】
（第２実施形態）
図１６および図１７は、本発明の第２実施形態による第２押圧部材の斜視図および平面図である。図１８および図１９は、本発明の第２実施形態による給紙カセットの構造を示した図である。図１６〜図１９を参照して、この第２実施形態では、第１実施形態と異なる構造を有する第２押圧部材７０について説明する。なお、この第２実施形態の第２押圧部材７０以外の構造は、上記第１実施形態の構造と同様であるのでその説明を省略する。
【００５１】
この第２実施形態では、図１８に示すように、蓋部材１３の下面部１３ｂに用紙５０の上面を押圧する樹脂製の第２押圧部材７０が蓋材部１３とは別体で設けられている。この第２押圧部材７０の平坦部７０ａは、図１６に示すように、傾斜部７０ｂとの接合線を境界線として左右にそれぞれ、第１平坦部７１ａと第２平坦部７１ｂとを含む。第２平坦部７１ｂは、第１平坦部７１ａと傾斜部７０ｂとの接合部７０ｄの所定領域に、Ｕ字状の切り込み部７０ｅを設け、第１平坦部７０ａのＵ字状の切り込み部７０ｅの内側の領域を、接合部７０ｄの接合線に沿って１８０°折り返して形成される。また、図１８に示すように、蓋部材１３をカセット本体１１に取り付けた際は、第２押圧部材７０の押圧部７０ｃがカセット本体１１の内底面１１ｋのリブ１１ｈに近接されるように構成されている。また、第２実施形態では、図１８に示すように、第２押圧部材７０の押圧部７０ｃは、断面形状がＬ字形状を有し、第２押圧部材７０は、蓋部材１３の下面部１３ｂに、粘着テープ１４によって取り付けられている。また、図１９に示すように、第２押圧部材７０の押圧部７０ｃは、カセット本体１１の第１押圧部材１１ｆが用紙５０を側面から押圧する作用線１００上（一点鎖線）に設けられている。
【００５２】
図２０は、図１６に示した本発明の第２実施形態による給紙カセットの第２押圧部材の用紙に対する押圧状態を説明するための図である。次に、図１８〜図２０を参照して、第２実施形態による給紙カセット１０の第２押圧部材７０の用紙５０に対する押圧状態を説明する。
【００５３】
図１８に示すように、用紙５０が少ない場合、カセット本体１１（図１９参照）の第１押圧部材１１ｆ（図１９参照）が用紙５０の側面部を押圧するとともに、第２押圧部材７０は押圧部７０ｃが用紙５０の上面を所定の押圧力で押圧する。また、図２０に示すように、用紙５０が多い場合、第２押圧部材７０は傾斜部７０ｂおよび接合部７０ｄを弾性変形させながら、押圧部７０ｃが用紙５０の上面を所定の押圧力で押圧する。
【００５４】
ここで、第２実施形態では、図２０に示すように、用紙５０が多い状態において第２押圧部材７０が用紙５０を押圧した際に、用紙５０からの反力により、第２押圧部材７０の傾斜部７０ｂと平坦部７０ａとの接合部７０ｄを中心軸として曲げモーメントＭが発生する場合に、傾斜部７０ｂと平坦部７０ａとのなす角度が鋭角になる第２平坦部７１ｂは、上記曲げモーメントＭを打ち消す方向の反力Ｆを発生させることができる。したがって、傾斜部７０ｂと平坦部７０ａとの接合部７０ｄ近傍での傾斜部７０ｂの形状は変形の度合いが小さくなる一方、傾斜部７０ｂのうちで、接合部７０ｄから遠く、押圧部７０ｃに近い領域では、傾斜部７０ｂの形状を変化させながら（下方向に湾曲して）、用紙５０を押圧する。
【００５５】
なお、この第２実施形態の給紙カセットおよび昇華型プリンタの給紙動作は、上記第１実施形態の動作と同様であるのでその説明を省略する。
【００５６】
第２実施形態では、上記のように、第２押圧部材７０の平坦部７０ａは、傾斜部７０ｂとの接合線を境界線として左右にそれぞれ、第１平坦部７１ａと第２平坦部７１ｂとを含み、第２平坦部７１ｂは、第１平坦部７１ａと傾斜部７０ｂとの接合部７０ｄの所定領域に、Ｕ字状の切り込み部７０ｅを設け、第１平坦部７１ａのＵ字状の切り込み部７０ｅの内側の領域を、接合部７０ｄの接合線に沿って１８０°折り返すことにより形成されていることによって、容易に、平坦部７０ａの下面のうちの端部以外の領域に傾斜部７０ｂが一体的に接合された構造を得ることができる。
【００５７】
図２１および図２２は、本発明の第２実施形態の変形例を説明するための図である。この第２実施形態の変形例では、図２１および図２２に示すように、給紙カセット１０の用紙５０を押圧する第２押圧部材７５の平坦部７５ａは、傾斜部７５ｂとの接合線を境界線として左右にそれぞれ、第１平坦部７６ａと第２平坦部７６ｂとを含む。第２平坦部７６ｂは、第１平坦部７６ａと傾斜部７５ｂとの接合部７５ｄの所定領域に、Ｕ字状の切り込み部７５ｅを設け、第１平坦部７６ａのＵ字状の切り込み部７５ｅの内側の領域を、接合部７６ｂの接合線に沿って１８０°折り返して形成される。なお、傾斜部７５ｂが第１平坦部７６ａ側に傾斜している点が、第２実施形態の第２押圧部材７０の傾斜部７０ｂと異なる。このように構成しても、第２実施形態と同様の効果を得ることができる。
【００５８】
（第３実施形態）
図２３および図２４は、本発明の第３実施形態による第２押圧部材の斜視図および平面図である。図２５および図２６は、本発明の第３実施形態による給紙カセットの構造を示した図である。まず、図２３〜図２６を参照して、この第３実施形態では、上記第１実施形態および第２実施形態と異なり、第２押圧部材８０の傾斜部８０ｂが支持部８０ｆにより支持される構造について説明する。なお、この第３実施形態の第２押圧部材８０以外の構造は、上記第１実施形態の構造と同様であるのでその説明を省略する。
【００５９】
この第３実施形態による給紙カセット１０では、図２５に示すように、蓋部材１３の下面部１３ｂに用紙５０の上面を押圧する樹脂製の第２押圧部材８０が蓋材部１３とは別体で設けられている。この第２押圧部材８０は、図２３に示すように、第１平坦部８１ａの下面の端部で第１平坦部８１ａと一体的に接合され、傾斜部８０ｂ向かって斜め方向に延びるとともに、傾斜部８０ｂと接合される支持部８０ｆを含む。なお、支持部８０ｆは、傾斜部８０ｂに設けられた１対の切り欠き部８０ｇに、支持部８０ｆの端部に設けられた1対の係合部８０ｈを係合させることによって、傾斜部８０ｃを支持している。また、図２５に示すように、蓋部材１３をカセット本体１１に取り付けた際は、第２押圧部材８０の押圧部８０ｃがカセット本体１１の内底面１１ｋのリブ１１ｈに近接されるように構成されている。また、第３実施形態では、図２５に示すように、第２押圧部材８０の押圧部８０ｃは、断面形状がＬ字形状を有し、第２押圧部材８０は、蓋部材１３の下面部１３ｂに、粘着テープ１４によって取り付けられている。さらに、図２６に示すように、第２押圧部材８０の押圧部８０ｃは、カセット本体１１の第１押圧部材１１ｆが用紙５０を側面から押圧する作用線１００上（一点鎖線）に設けられている。
【００６０】
図２６は、図２３に示した本発明の第３実施形態による給紙カセットの第２押圧部材の用紙に対する押圧状態を説明するための図である。次に、図２５および図２７を参照して、第３実施形態による給紙カセット１０の第２押圧部材８０の用紙５０に対する押圧状態を説明する。
【００６１】
図２５に示すように、用紙５０が少ない場合、第２押圧部材８０は押圧部８０ｃが用紙５０の上面を所定の押圧力で押圧する。また、図２７に示すように、用紙５０が多い場合、第２押圧部材８０は傾斜部８０ｂおよび接合部８０ｄを弾性変形させながら、押圧部８０ｃが用紙５０の上面を所定の押圧力で押圧する。
【００６２】
ここで、第３実施形態では、図２７に示すように、用紙５０が多い状態において第２押圧部材８０が用紙５０を押圧した際に、用紙５０からの反力により、第２押圧部材８０の傾斜部８０ｂと平坦部８０ａとの接合部８０ｄを中心軸として曲げモーメントＭが発生する場合に、傾斜部８０ｂと平坦部８０ａとのなす角度が鋭角になる第２平坦部８１ｂは、上記曲げモーメントＭを打ち消す方向の反力Ｆを発生させることができる。したがって、傾斜部８０ｂと平坦部８０ａとの接合部８０ｄ近傍での傾斜部８０ｂの形状は変形の度合いが小さくなる一方、傾斜部８０ｂのうちで、接合部８０ｄから遠く、押圧部８０ｃに近い領域では、傾斜部８０ｂの形状を変化させながら（下方向に湾曲して）、用紙５０を押圧する。
【００６３】
なお、この第３実施形態の給紙カセットおよび昇華型プリンタの給紙動作は、上記第１実施形態の動作と同様であるのでその説明を省略する。
【００６４】
第３実施形態では、上記のように、第２押圧部材８０は、第１平坦部８１ａの端部で第１平坦部８１ａと一体的に連結され、傾斜部８０ｂに向かって斜め方向に延びるとともに、傾斜部８０ｂを支持するための支持部８０ｆを含むように構成することによって、第２押圧部材８０の傾斜部８０ｂが、支持部８０ｆによって支持されるため、傾斜部８０ｂの剛性が向上される。このため、特に用紙５０の枚数が多い状態で、第２押圧部材８０が用紙５０を押圧した場合の、傾斜部８０ｂと第１平坦部８１ａとの接合部８０ｄにおける傾斜部８０ｂの変位（変形量）をより小さくすることができるので、傾斜部８０ｂの基本形状を容易に保持することができる。
【００６５】
図２８および図２９は、本発明の第３実施形態の変形例を説明するための図である。この第３実施形態の変形例では、図２８および図２９に示すように、給紙カセット１０の用紙５０を押圧する第２押圧部材８５は、第１平坦部８６ａの下面の端部で第１平坦部８６ａと一体的に接合され、傾斜部８５ｂに向かって斜め方向に延びるとともに、傾斜部８５ｂと接合される支持部８５ｆが設けられている。また、支持部８５ｆは、傾斜部８５ｂに設けられた１対の切り欠き部８５ｇに、支持部８５ｆの端部に設けられた1対の係合部８５ｈを係合させることによって、傾斜部８５ｂに接合されている。なお、傾斜部８５ｂが第１平坦部８６ａ側に傾斜させている点が、第３実施形態の第２押圧部材８０の傾斜部８０ｂの傾斜方向と異なるが、第３実施形態と同様の効果を得ることができる。
【００６６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６７】
たとえば、上記実施形態では、画像形成装置の一例としての昇華型プリンタの給紙カセットに本発明を適用した例を示したが、本発明はこれに限らず、昇華型プリンタ以外の画像形成装置の給紙カセットにも適用可能である。
【００６８】
また、上記第１実施形態では、第２押圧部材６０の押圧部６０ｃの断面形状をＬ字形状とした例を示したが、本発明はこれに限らず、第２押圧部材６０の押圧部６０ｃの断面形状をＵ字形状としてもよい。
【００６９】
また、上記第１実施形態では、第２押圧部材６０の平坦部６０ａを粘着テープ１４（両面テープ）によって蓋部材１３の下面部１３ｂに取り付けられた例を示したが、本発明はこれに限らず、第２押圧部材６０の平坦部６０ａを接着剤などによって蓋部材１３の下面部１３ｂに取り付けてもよい。
【００７０】
また、上記第１実施形態では、傾斜部６０ｂは、平坦部６０ａの実質的に中央部に接合させた例を示したが、本発明はこれに限らず、接合部６０ｄを境界として、傾斜部６０ｂと平坦部６０ａとのなす角度が鈍角になる一方領域６０ｅの面積が、傾斜部６０ｂと平坦部６０ａとのなす角度が鋭角になる他方領域６０ｆの面積よりも大きくなるように平坦部６０ａを分割する分割線において傾斜部６０ｂを平坦部６０ａと接合させてもよい。
【００７１】
また、上記第１実施形態では、第２押圧部材６０を樹脂製として蓋部材１３の下面部１３ｂに取り付けた例を示したが、本発明はこれに限らず、第２押圧部材６０を金属製として蓋部材１３の下面部１３ｂに取り付けてもよい。
【図面の簡単な説明】
【００７２】
【図１】本発明の第１実施形態による給紙カセットの全体構成を示した斜視図である。
【図２】図１に示した本発明の第１実施形態による給紙カセットが装着される昇華型プリンタの全体構成を示した斜視図である。
【図３】図１に示した本発明の第１実施形態による給紙カセットおよび昇華型プリンタの内部構造を示した斜視図である。
【図４】図１に示した本発明の第１実施形態による給紙カセットおよび昇華型プリンタの内部構造を示した斜視図である。
【図５】図１に示した本発明の第１実施形態による給紙カセットおよび昇華型プリンタの断面図である。
【図６】図１に示した本発明の第１実施形態による給紙カセットのカセット本体の平面図である。
【図７】図１に示した本発明の第１実施形態による給紙カセットの分解斜視図である。
【図８】図１に示した本発明の第１実施形態による第２押圧部材の構造を示した斜視図である。
【図９】図１に示した本発明の第１実施形態による第２押圧部材の構造を示した断面図である。
【図１０】図１に示した本発明の第１実施形態による第２押圧部材の給紙カセットへの取り付け位置を示した平面図である。
【図１１】図１に示した本発明の第１実施形態による第２押圧部材の押圧状態を示した断面図である。
【図１２】図１に示した本発明の第１実施形態による給紙カセットおよび昇華型プリンタの給紙動作を説明するための断面図である。
【図１３】本発明の第１実施形態の変形例による第２押圧部材の給紙カセットへの取り付け構造を示した断面図である。
【図１４】本発明の第１実施形態の変形例による第２押圧部材の給紙カセットへの取り付け方法を示した斜視図である。
【図１５】本発明の第１実施形態の変形例による第２押圧部材の給紙カセットへの取り付け後の状態を示した斜視図である。
【図１６】本発明の第２実施形態による第２押圧部材の構造を示した斜視図である。
【図１７】本発明の第２実施形態による第２押圧部材の構造を示した平面図である。
【図１８】本発明の第２実施形態による第２押圧部材の構造を示した断面図である。
【図１９】本発明の第２実施形態による第２押圧部材の給紙カセットへの取り付け位置を示した平面図である。
【図２０】本発明の第２実施形態による第２押圧部材の押圧状態を示した断面図である。
【図２１】本発明の第２実施形態の変形例による第２押圧部材の構造を示した斜視図である。
【図２２】本発明の第２実施形態の変形例による第２押圧部材の構造を示した平面図である。
【図２３】本発明の第３実施形態による第２押圧部材の構造を示した斜視図である。
【図２４】本発明の第３実施形態による第２押圧部材の構造を示した平面図である。
【図２５】本発明の第３実施形態による第２押圧部材の構造を示した断面図である。
【図２６】本発明の第３実施形態による第２押圧部材の給紙カセットへの取り付け位置を示した平面図である。
【図２７】本発明の第３実施形態による第２押圧部材の押圧状態を示した断面図である。
【図２８】本発明の第３実施形態の変形例による第２押圧部材の構造を示した斜視図である。
【図２９】本発明の第３実施形態の変形例による第２押圧部材の構造を示した平面図である。
【符号の説明】
【００７３】
１１      カセット本体
１１ｋ    内底面
１１ｆ    第１押圧部材
１３      蓋部材
１３ｂ    下面部（下面）
１４      粘着テープ（接着手段）
２０      昇華型プリンタ（画像形成装置）
２３      給紙ローラ  
５０      用紙
６０、７０、７５、８０，８５    第２押圧部材
６０ａ、７０ａ、７５ａ、８０ａ、８５ａ    平坦部
６０ｂ、７０ｂ、７５ｂ、８０ｂ、８５ｂ    傾斜部
６０ｃ、７０ｃ、７５ｃ、８０ｃ、８５ｃ    押圧部
６０ｄ、７０ｄ、７５ｄ、８０ｄ、８５ｄ    接合部（接合部分）
７１ａ、７６ａ、８１ａ、８６ａ    第１平坦部
７１ｂ、７６ｂ、８１ｂ、８６ｂ    第２平坦部
７０ｅ、７５ｅ、８０ｅ、８５ｅ    切り込み部
８０ｆ、８５ｆ    支持部
【図１】
2007331890.tif 000003
【図２】
2007331890.tif 000004
【図３】
2007331890.tif 000005
【図４】
2007331890.tif 000006
【図５】
2007331890.tif 000007
【図６】
2007331890.tif 000008
【図７】
2007331890.tif 000009
【図８】
2007331890.tif 000010
【図９】
2007331890.tif 000011
【図１０】
2007331890.tif 000012
【図１１】
2007331890.tif 000013
【図１２】
2007331890.tif 000014
【図１３】
2007331890.tif 000015
【図１４】
2007331890.tif 000016
【図１５】
2007331890.tif 000017
【図１６】
2007331890.tif 000018
【図１７】
2007331890.tif 000019
【図１８】
2007331890.tif 000020
【図１９】
2007331890.tif 000021
【図２０】
2007331890.tif 000022
【図２１】
2007331890.tif 000023
【図２２】
2007331890.tif 000024
【図２３】
2007331890.tif 000025
【図２４】
2007331890.tif 000026
【図２５】
2007331890.tif 000027
【図２６】
2007331890.tif 000028
【図２７】
2007331890.tif 000029
【図２８】
2007331890.tif 000030
【図２９】
2007331890.tif 000031